(57)【特許請求の範囲】
【請求項１】
ガス通路を遮断する遮断弁と、この遮断弁の動作を制御するマイクロコンピュータ及び回路部と、前記回路部に電源を供給する電池電源部と、通常は抵抗値が小さいが、過電流時には抵抗値が増大し、通常使用状態となると抵抗値が元に戻る保護素子と、前記マイクロコンピュータと回路部と保護素子を実装するプリント配線板を備えたガス遮断装置であって、
前記マイクロコンピュータの電源をバックアップするバックアップ回路部と、回路等の短絡による過電流の有無を検知する過電流検出部と、前記過電流検出部より送られる過電流信号により、前記マイクロコンピュータの消費電力を削減する機能を備えたガス遮断装置。
【発明の詳細な説明】
【０００１】
【発明の属する技術分野】
本発明は、ガスメータ以後のガス使用時に、ガス使用上の安全を図るガス遮断装置に関するものである。
【０００２】
【従来の技術】
従来、この種のガス遮断装置は、図５に示すように、ガス通路を遮断する遮断弁１と、電池により電源供給する電源２と、遮断弁１の動作を制御するマイクロコンピューター３及び回路部４と、回路の短絡等によって発生する過電流時に回路部４及び電源２を保護する素子としてヒューズ５をプリント配線板６に実装した構成となっていた。
【０００３】
又、図６に示すように、ガス通路を遮断する遮断弁１と、電池により電源供給する電源２と、遮断弁１の動作を制御するマイクロコンピューター３及び回路部４と、回路の短絡等による過電流時に回路部４及び電源２を保護する素子を持たないような構成となっていた。
【０００４】
【発明が解決しようとする課題】
しかしながら、このようなガス遮断装置は、保護素子のヒューズ５は一時的な過電流に対して一度しか機能せず元の状態には戻らないため、電源供給ができずに機能を停止してしまい、ガス遮断装置としての安全性を確保できないという可能性があった。
【０００５】
本発明は、従来構成の問題点を解決したもので、回路の短絡等によって発生する過電流時に回路部及び電源を保護する手段を備えたガス遮断装置を提供することを目的とする。
【０００６】
【課題を解決するための手段】
そして、上記目的を達成するための本発明の請求項１の手段は、ガス通路を遮断する遮断弁と、この遮断弁の動作を制御するマイクロコンピュータ及び回路部と、前記回路部に電源を供給する電池電源部と、通常は抵抗値が小さいが、過電流時には抵抗値が増大し、通常使用状態となると抵抗値が元に戻る保護素子と、前記マイクロコンピュータと回路部と保護素子を実装するプリント配線板を備えたガス遮断装置であって、前記マイクロコンピュータの電源をバックアップするバックアップ回路部と、回路等の短絡による過電流の有無を検知する過電流検出部と、前記過電流検出部より送られる過電流信号により、前記マイクロコンピュータの消費電流を削減する機能を備えたものである。この本発明によれば、過電流が流れたとき保護素子が動作するので、回路や電源の発熱を未然に防止することができるとともに、過電流を検出したとき過電流の監視以外の機能を停止させて消費電流を削減させるため、マイクロコンピュータの内部データが消滅することなく、過電流が無くなれば以前の通りそのまま使用することができる。
【０００７】
【発明の実施の形態】
ガス通路を遮断する遮断弁と、この遮断弁の動作を制御するマイクロコンピュータ及び回路部と、前記回路部に電源を供給する電池電源部と、通常は抵抗値が小さいが、過電流時には抵抗値が増大し、通常使用状態となると抵抗値が元に戻る保護素子と、前記マイクロコンピュータと回路部と保護素子を実装するプリント配線板を備えたガス遮断装置であって、前記マイクロコンピュータの電源をバックアップするバックアップ回路部と、回路等の短絡による過電流の有無を検知する過電流検出部と、前記過電流検出部より送られる過電流信号により、前記マイクロコンピュータの消費電流を削減する機能を備えたものである。
【０００８】
【実施例】
以下本発明の実施例を図面に基づいて説明する。
【０００９】
（実施例１）
本発明の請求項１記載のガス遮断装置を実施例１として図１を参照し説明する。図１において、ガス通路を遮断する遮断弁１と、リチウム電池により電源供給する電源２と、遮断弁１の動作を制御するマイクロコンピューター３と回路部４と、回路の短絡等による過電流時に回路部４及び電源２を自身の抵抗値増大により電流を遮断することにより保護でき、しかも通常使用状態になると抵抗値が元に戻り交換せずに何度でも使用できるポリスイッチや、セラミックＰＴＣを用いた保護素子５と、マイクロコンピューター３と回路部４と保護素子５を実装するプリント配線板６からなっている。そして、プリント配線板６の回路の短絡等により過電流が発生した場合、保護素子５が動作し電流を遮断するため回路部４又は電源２の発熱・発火を防止できる。又、一時的な回路の短絡等が発生した場合に、その間のみ電流を遮断するため、回路が正常に戻れば、再びガス遮断装置として使用することができる。
【００１０】
（実施例２）
本発明のガス遮断装置の他の実施例を図２を参照し説明する。図２において、マイクロコンピューター３をリセットするリセット回路部７からなっている。本発明では、リセット回路部７を設けることで、過電流により電流を遮断した後、回路が正常に戻ったとき確実にマイクロコンピューターをリセットできるため、電流の遮断・復帰を繰り返した場合等の不安定な電源供給でもマイクロコンピューターの暴走を防ぐことができる。
【００１１】
（実施例３）
本発明の請求項１記載のガス遮断装置を実施例３として図３を参照し説明する。図３において、マイクロコンピューターの電源をバックアップするバックアップ回路部８と、回路等の短絡による過電流の有無を検知する過電流検出部９と、過電流検出部９より送られる過電流信号Ａにより、マイクロコンピューターの消費電流を削減させる機能からなっている。本発明では、過電流信号Ａにより、マイクロコンピューターは過電流状態であると判定し、過電流信号Ａの監視以外の機能を全て停止させて消費電流を削減させることで、本来消費電流の少ないマイクロコンピューターの内部データが消滅することなく、回路の短絡等による過電流がなくなり、過電流信号が無くなると、過電流の発生前と全く同じようにガス遮断装置として使用できる。
【００１２】
（実施例４）
本発明のガス遮断装置の他の実施例を図４を参照し説明する。図４においてガス通路を遮断する遮断弁１と、リチウム電池により電源供給する電源２と、回路等の短絡による過電流の有無を検知する過電流検出部９と、過電流検出部９より送られる過電流信号Ｂにより、遮断弁１を駆動する過電流時弁駆動部１０からなっている。本発明では、過電流時にガス遮断装置の機能が停止する前に即座に遮断弁１を遮断することにより、ガス遮断装置としての安全性を確保することができる。
【００１３】
【発明の効果】
以上の説明から明らかのように、本発明のガス遮断装置によれば次の効果が得られる。
【００１４】
回路の短絡等により過電流が発生した場合、保護素子が動作し電流を遮断するため回路又は電源の発熱・発火を防止できる。又、一時的な回路の短絡等が発生した場合に、その間のみ電流を遮断するため、回路が正常に戻れば、再びガス遮断装置として使用することができる。
【００１５】
またマイクロコンピューターの電源をバックアップする回路と、回路等の短絡による過電流の有無を検知する過電流検出部を設け、過電流信号によりマイクロコンピューターの消費電流を削減させることで、本来消費電流の少ないマイクロコンピューターの内部データが消滅することなく、回路の短絡等による過電流がなくなり、正常に戻ったとき、過電流の発生前と全く同じようにガス遮断装置として使用できる。
【図面の簡単な説明】
【図１】  本発明の実施例１のガス遮断装置の機能ブロック図
【図２】  本発明の実施例２のガス遮断装置の機能ブロック図
【図３】  本発明の実施例３のガス遮断装置の機能ブロック図
【図４】  本発明の実施例４のガス遮断装置の機能ブロック図
【図５】  従来のガス遮断装置の機能ブロック図
【図６】  同装置の別の機能ブロック図
【符号の説明】
１  遮断弁
２  電源
３  マイクロコンピューター
４  回路部
５  保護素子
６  プリント配線板
７  リセット回路部
８  バックアップ回路部
９  過電流検出部
１０  過電流時弁駆動部
【図１】
0003893705.tif 000002
【図２】
0003893705.tif 000003
【図３】
0003893705.tif 000004
【図４】
0003893705.tif 000005
【図５】
0003893705.tif 000006
【図６】
0003893705.tif 000007